(57)【特許請求の範囲】
【請求項１】
ノースバウンド設定モジュールは上位ネットワーク管理システムが送信するデータ設定要求を受信し、該データ設定要求を衝突解決モジュールに送信することと、
ＳＯＮ機能管理モジュールはＳＯＮ機能モジュールが送信するパラメータ最適化要求を受信し、パラメータ最適化要求を衝突解決モジュールに送信することと、
衝突解決モジュールはノースバウンド設定モジュールが送信するデータ設定要求とＳＯＮ機能管理モジュールが送信するパラメータ最適化要求を受信し、ノースバウンド設定モジュールが設定を要求するパラメータとＳＯＮ機能管理モジュールが設定を要求するパラメータとが衝突すると判断すると、それぞれノースバウンド設定モジュールとＳＯＮ機能管理モジュールに衝突を指示する衝突判定メッセージを送信することと、
ノースバウンド設定モジュールは衝突解決モジュールが送信する衝突を指示する衝突判定メッセージを受信した後、データ設定要求におけるデータ設定を行い、衝突情報を上位ネットワーク管理システムに報告することと、
ＳＯＮ機能管理モジュールは衝突解決モジュールが送信する衝突を指示する衝突判定メッセージを受信した後、前記ＳＯＮ機能モジュールにパラメータバックオフを行うこと、及び／又は当該自己最適化プロセスを終了することを通知することと、を含むノースバウンドデータ設定及び自己組織化ネットワークＳＯＮ設定の協調処理方法。
【請求項２】
前記データ設定要求には、設定したパラメータ識別子及び修正値が含まれる請求項１に記載の方法。
【請求項３】
前記パラメータ最適化要求には、パラメータ設定を指示するＳＯＮ機能モジュールの名称、設定したパラメータ識別子及び修正値が含まれる請求項１に記載の方法。
【請求項４】
前記衝突解決モジュールはノースバウンド設定モジュールが設定を要求するパラメータとＳＯＮ機能管理モジュールが設定を要求するパラメータとが衝突すると判断することには、
前記衝突解決モジュールはノースバウンド設定モジュールが設定を要求するパラメータとＳＯＮ機能管理モジュールが設定を要求するパラメータとの識別子が同様であるが修正値が異なると判断すると、衝突すると判断することを含む請求項１又は２又は３に記載の方法。
【請求項５】
前記衝突解決モジュールがノースバウンド設定モジュールに送信する衝突判定メッセージには、衝突するパラメータ識別子、衝突をもたらすＳＯＮ機能モジュールの名称、ＳＯＮ機能モジュールの設定した修正値が含まれる請求項１又は２又は３に記載の方法。
【請求項６】
前記衝突解決モジュールがＳＯＮ機能管理モジュールに送信する衝突判定メッセージには、衝突するパラメータ識別子、ノースバウンド設定モジュールの設定したパラメータ値が含まれる請求項１又は２又は３に記載の方法。
【請求項７】
ＳＯＮ機能管理モジュールは衝突解決モジュールが送信する衝突判定メッセージを受信した後、前記ＳＯＮ機能モジュールにパラメータのバックオフを行うこと、及び／又は当該自己最適化プロセスを終了することを通知することには、
ネットワーク管理システムにより実行される被制御モードの自己最適化プロセスに対して、ＳＯＮ機能管理モジュールは衝突解決モジュールが送信する衝突を指示する衝突判定メッセージを受信した後、衝突を指示する通知をＳＯＮ機能モジュールに送信し、ＳＯＮ機能モジュールが当該自己最適化プロセスを終了すること、或いは
ネットワーク管理システムにより実行される自由モードの自己最適化プロセスに対して、ＳＯＮ機能管理モジュールは衝突解決モジュールが送信する衝突を指示する衝突判定メッセージを受信した後、衝突を指示する通知をＳＯＮ機能モジュールに送信し、ＳＯＮ機能モジュールがパラメータのバックオフを行い、バックオフを完成した後、パラメータをネットワークエレメントに同期化すること、或いは
ネットワークエレメントにより実行される被制御モードの自己最適化プロセスに対して、ＳＯＮ機能管理モジュールは衝突解決モジュールが送信する衝突を指示する衝突判定メッセージを受信した後、衝突を指示する通知をＳＯＮ機能モジュールに送信し、ＳＯＮ機能モジュールが当該自己最適化プロセスを終了し、且つ自己最適化プロセスを実行するネットワークエレメントに当該自己最適化プロセスを終了することを通知すること、或いは
ネットワークエレメントにより実行される自由モードの自己最適化プロセスに対して、ＳＯＮ機能管理モジュールは衝突解決モジュールが送信する衝突を指示する衝突判定メッセージを受信した後、衝突を指示する通知をＳＯＮ機能モジュールに送信し、ＳＯＮ機能モジュールが当該自己最適化プロセスを終了し、且つ自己最適化プロセスを実行するネットワークエレメントにパラメータのバックオフを行うことを通知することを含む請求項１又は２又は３に記載の方法。
【請求項８】
前記衝突解決モジュールはノースバウンド設定モジュールが送信するデータ設定要求とＳＯＮ機能管理モジュールが送信するパラメータ最適化要求を受信し、ノースバウンド設定モジュールが設定を要求するパラメータとＳＯＮ機能管理モジュールが設定を要求するパラメータとが衝突しないと判断すると、ＳＯＮ機能管理モジュールに非衝突を指示する衝突判定メッセージを送信することと、
前記ＳＯＮ機能管理モジュールは衝突解決モジュールが送信する非衝突を指示する衝突判定メッセージを受信した後、前記ＳＯＮ機能モジュールに非衝突を指示する通知を送信し、前記ＳＯＮ機能モジュールは自己最適化プロセスを継続することと、をさらに含む請求項１又は２又は３に記載の方法。
【請求項９】
ノースバウンド設定モジュール、ＳＯＮ機能モジュール、ＳＯＮ機能管理モジュール、及び衝突解決モジュールを備えるノースバウンドデータ設定及び自己組織化ネットワークＳＯＮ設定の協調処理システムであって、
前記ノースバウンド設定モジュールは、上位ネットワーク管理システムが送信するデータ設定要求を受信し、該データ設定要求を衝突解決モジュールに送信し、及び衝突解決モジュールが送信する衝突を指示する衝突判定メッセージを受信した後、データ設定要求におけるデータ設定を行い、衝突情報を上位ネットワーク管理システムに報告するように設置され、
前記ＳＯＮ機能モジュールは、ＳＯＮ機能管理モジュールにパラメータ最適化要求を送信し、及び前記ＳＯＮ機能管理モジュールの通知に基づいてパラメータのバックオフを行う、及び／又は当該自己最適化を終了するように設置され、
前記ＳＯＮ機能管理モジュールは、ＳＯＮ機能モジュールが送信するパラメータ最適化要求を受信し、パラメータ最適化要求を衝突解決モジュールに送信し、及び衝突解決モジュールが送信する衝突を指示する衝突判定メッセージを受信した後、前記ＳＯＮ機能モジュールにパラメータのバックオフを行うこと、及び／又は当該自己最適化プロセスを終了することを通知するように設置され、
前記衝突解決モジュールは、ノースバウンド設定モジュールが送信するデータ設定要求とＳＯＮ機能管理モジュールが送信するパラメータ最適化要求を受信し、ノースバウンド設定モジュールが設定を要求するパラメータとＳＯＮ機能管理モジュールが設定を要求するパラメータとが衝突すると判断すると、それぞれノースバウンド設定モジュールとＳＯＮ機能管理モジュールに衝突を指示する衝突判定メッセージを送信するように設置されるノースバウンドデータ設定及び自己組織化ネットワークＳＯＮ設定の協調処理システム。
【請求項１０】
前記データ設定要求には、設定したパラメータ識別子及び修正値が含まれる請求項９に記載のシステム。
【請求項１１】
前記パラメータ最適化要求には、パラメータ設定を指示するＳＯＮ機能モジュールの名称、設定したパラメータ識別子及び修正値が含まれる請求項９に記載のシステム。
【請求項１２】
前記衝突解決モジュールは、
ノースバウンド設定モジュールが設定を要求するパラメータとＳＯＮ機能管理モジュールが設定を要求するパラメータとの識別子が同様であるが修正値が異なると判断すると、衝突すると判断することによって、ノースバウンド設定モジュールが設定を要求するパラメータとＳＯＮ機能管理モジュールが設定を要求するパラメータとが衝突すると判断するように設置される請求項９又は１０又は１１に記載のシステム。
【請求項１３】
前記衝突解決モジュールがノースバウンド設定モジュールに送信する衝突判定メッセージには、衝突するパラメータ識別子、衝突をもたらすＳＯＮ機能モジュールの名称、ＳＯＮ機能モジュールの設定した修正値が含まれる請求項９又は１０又は１１に記載のシステム。
【請求項１４】
前記衝突解決モジュールがＳＯＮ機能管理モジュールに送信する衝突判定メッセージには、衝突するパラメータ識別子、ノースバウンド設定モジュールの設定したパラメータ値が含まれる請求項９又は１０又は１１に記載のシステム。
【請求項１５】
ＳＯＮ機能管理モジュールは、
ネットワーク管理システムにより実行される被制御モードの自己最適化プロセス、又はネットワーク管理システムにより実行される自由モードの自己最適化プロセスに対して、或いは、ネットワークエレメントにより実行される被制御モードの自己最適化プロセス、又はネットワークエレメントにより実行される自由モードの自己最適化プロセスに対して、ＳＯＮ機能管理モジュールは衝突解決モジュールが送信する衝突を指示する衝突判定メッセージを受信した後、ＳＯＮ機能モジュールに衝突を指示する通知を送信することによって、衝突解決モジュールが送信する衝突を指示する衝突判定メッセージを受信した後、前記ＳＯＮ機能モジュールにパラメータのバックオフを行うこと、及び／又は当該自己最適化プロセスを終了することを通知するように設置され、
前記ＳＯＮ機能モジュールは、
ネットワーク管理システムにより実行される被制御モードの自己最適化プロセスに対して、ＳＯＮ機能モジュールは前記ＳＯＮ機能管理モジュールが送信する衝突を指示する通知を受信した後、当該自己最適化プロセスを終了すること、或いは
ネットワーク管理システムにより実行される自由モードの自己最適化プロセスに対して、ＳＯＮ機能モジュールは前記ＳＯＮ機能管理モジュールが送信する衝突を指示する通知を受信した後、パラメータのバックオフを行い、パラメータをネットワークエレメントに同期化すること、或いは
ネットワークエレメントにより実行される被制御モードの自己最適化プロセスに対して、ＳＯＮ機能モジュールは前記ＳＯＮ機能管理モジュールが送信する衝突を指示する通知を受信した後、当該自己最適化プロセスを終了し、自己最適化を実行するネットワークエレメントにメッセージを送信して自己最適化プロセスを終了することを通知すること、或いは
ネットワークエレメントにより実行される自由モードの自己最適化プロセスに対して、ＳＯＮ機能モジュールは前記ＳＯＮ機能管理モジュールが送信する衝突を指示する通知を受信した後、当該自己最適化プロセスを終了し、自己最適化を実行するネットワークエレメントにメッセージを送信してパラメータのバックオフを行うことを通知することによって、前記ＳＯＮ機能管理モジュールの通知に基づいてパラメータのバックオフを行うこと、及び／又は当該自己最適化を終了することを通知するように設置される請求項９又は１０又は１１に記載のシステム。
【請求項１６】
前記衝突解決モジュールはさらに、ノースバウンド設定モジュールが設定を要求するパラメータとＳＯＮ機能管理モジュールが設定を要求するパラメータとが衝突しない判断すると、ＳＯＮ機能管理モジュールに非衝突を指示する衝突判定メッセージを送信するように設置され、
前記ＳＯＮ機能管理モジュールはさらに、衝突解決モジュールが送信する非衝突を指示する衝突判定メッセージを受信した後、前記ＳＯＮ機能モジュールに非衝突を指示する通知を送信するように設置され、
前記ＳＯＮ機能モジュールはさらに、前記ＳＯＮ機能管理モジュールが送信する非衝突を指示する通知を受信した後、自己最適化プロセスを継続するように設置される請求項９又は１０又は１１に記載のシステム。
【発明の詳細な説明】
【技術分野】
【０００１】
本発明は無線通信分野に関し、具体的には第３世代移動体通信ロングタームエボリューション（３ＧＰＰ  ＬＴＥ）システムにおけるノースバウンドデータ設定及びＳＯＮ（Ｓｅｌｆ−Ｏｒｇａｎｉｚｅｄ  Ｎｅｔｗｏｒｋ、自己組織化ネットワーク）設定の協調処理方法並びにシステムに関する。
【背景技術】
【０００２】
ＬＴＥにＳＯＮの概念を導入し、すなわち、ネットワークは自動的にネットワークパラメータの設定を完成することができ、且つネットワーク運転過程でネットワーク性能の変化に応じて関連の無線パラメータの調整を自動的に完成してネットワークを常に良い状態で運転させることができることによって、手動介入を減少させ、運転保守コストを低下させる目的を達成する。しかしながら、ネットワーク運転過程において、運転保守作業員は上位層のネットワーク管理システムによって手動設定で関連の無線パラメータを修正する可能性があるとともに、ＳＯＮ機能が起動する場合、ＳＯＮ機能によって関連の無線パラメータを自動的に修正する可能性があり、このとき、手動で設定されたパラメータとＳＯＮ機能により最適化されたパラメータとは同様であるが内容が異なると、衝突する恐れがある。
【発明の概要】
【発明が解決しようとする課題】
【０００３】
本発明が解決しようとする技術問題は、ノースバウンドデータ設定とＳＯＮ設定とが衝突する問題を解決するように、ノースバウンドデータ設定及び自己組織化ネットワーク設定の協調処理方法並びにシステムを提供することにある。
【課題を解決するための手段】
【０００４】
上記問題を解決するために、本発明はノースバウンドデータ設定及び自己組織化ネットワーク設定の協調処理方法を提供し、
ノースバウンド設定モジュールは上位ネットワーク管理システムが送信するデータ設定要求を受信し、該データ設定要求を衝突解決モジュールに送信することと、
ＳＯＮ機能管理モジュールはＳＯＮ機能モジュールが送信するパラメータ最適化要求を受信し、パラメータ最適化要求を衝突解決モジュールに送信することと、
衝突解決モジュールはノースバウンド設定モジュールが送信するデータ設定要求及びＳＯＮ機能管理モジュールが送信するパラメータ最適化要求を受信し、ノースバウンド設定モジュールが設定を要求するパラメータとＳＯＮ機能管理モジュールが設定を要求するパラメータは衝突すると判断すると、それぞれノースバウンド設定モジュールとＳＯＮ機能管理モジュールに衝突を指示する衝突判定メッセージを送信することと、
ノースバウンド設定モジュールは衝突解決モジュールが送信する衝突を指示する衝突判定メッセージを受信した後、データ設定要求におけるデータ設定を行い、衝突情報を上位ネットワーク管理システムに報告することと、
ＳＯＮ機能管理モジュールは衝突解決モジュールが送信する衝突を指示する衝突判定メッセージを受信した後、前記ＳＯＮ機能モジュールにパラメータバックオフを行い、及び／又は当該自己最適化プロセスを終了することを通知することと、を含む。
【０００５】
好ましくは、前記データ設定要求には、設定したパラメータ識別子及び修正値が含まれる。
【０００６】
好ましくは、前記パラメータ最適化要求には、パラメータ設定を指示するＳＯＮ機能モジュールの名称、設定したパラメータ識別子及び修正値が含まれる。
【０００７】
好ましくは、前記衝突解決モジュールはノースバウンド設定モジュールが設定を要求するパラメータとＳＯＮ機能管理モジュールが設定を要求するパラメータとが衝突すると判断することについて、
前記衝突解決モジュールはノースバウンド設定モジュールが設定を要求するパラメータとＳＯＮ機能管理モジュールが設定を要求するパラメータとの識別子が同様であるが修正値が異なると判断すると、衝突すると判断することを含む。
【０００８】
好ましくは、前記衝突解決モジュールがノースバウンド設定モジュールに送信する衝突判定メッセージには、衝突するパラメータ識別子、衝突をもたらすＳＯＮ機能モジュールの名称、ＳＯＮ機能モジュールの設定した修正値が含まれる。
【０００９】
好ましくは、前記衝突解決モジュールがＳＯＮ機能管理モジュールに送信する衝突判定メッセージには、衝突するパラメータ識別子、ノースバウンド設定モジュールの設定したパラメータ値が含まれる。
【００１０】
好ましくは、ＳＯＮ機能管理モジュールは衝突解決モジュールが送信する衝突判定メッセージを受信した後、前記ＳＯＮ機能モジュールにパラメータバックオフを行い、及び／又は当該自己最適化プロセスを終了することを通知することについて、
ネットワーク管理システムにより実行される被制御モードの自己最適化プロセスに対して、ＳＯＮ機能管理モジュールは衝突解決モジュールが送信する衝突を指示する衝突判定メッセージを受信した後、衝突を指示する通知をＳＯＮ機能モジュールに送信し、ＳＯＮ機能モジュールが当該自己最適化プロセスを終了すること、或いは
ネットワーク管理システムにより実行される自由モードの自己最適化プロセスに対して、ＳＯＮ機能管理モジュールは衝突解決モジュールが送信する衝突を指示する衝突判定メッセージを受信した後、衝突を指示する通知をＳＯＮ機能モジュールに送信し、ＳＯＮ機能モジュールがパラメータバックオフを行い、バックオフを完成した後、パラメータをネットワークエレメントに同期化すること、或いは
ネットワークエレメントにより実行される被制御モードの自己最適化プロセスに対して、ＳＯＮ機能管理モジュールは衝突解決モジュールが送信する衝突を指示する衝突判定メッセージを受信した後、衝突を指示する通知をＳＯＮ機能モジュールに送信し、ＳＯＮ機能モジュールが当該自己最適化プロセスを終了し、且つ自己最適化プロセスを実行するネットワークエレメントに当該自己最適化プロセスを終了することを通知すること、或いは
ネットワークエレメントにより実行される自由モードの自己最適化プロセスに対して、ＳＯＮ機能管理モジュールは衝突解決モジュールが送信する衝突を指示する衝突判定メッセージを受信した後、衝突を指示する通知をＳＯＮ機能モジュールに送信し、ＳＯＮ機能モジュールが当該自己最適化プロセスを終了し、且つ自己最適化プロセスを実行するネットワークエレメントにパラメータバックオフを行うことを通知することを含む。
【００１１】
好ましくは、前記方法は、
前記衝突解決モジュールはノースバウンド設定モジュールが送信するデータ設定要求とＳＯＮ機能管理モジュールが送信するパラメータ最適化要求を受信し、ノースバウンド設定モジュールが設定を要求するパラメータとＳＯＮ機能管理モジュールが設定を要求するパラメータとが衝突しないと判断すると、ＳＯＮ機能管理モジュールに非衝突を指示する衝突判定メッセージを送信することと、
前記ＳＯＮ機能管理モジュールは衝突解決モジュールが送信する非衝突を指示する衝突判定メッセージを受信した後、前記ＳＯＮ機能モジュールに非衝突を指示する通知を送信し、前記ＳＯＮ機能モジュールは自己最適化プロセスを継続することと、をさらに含む。
【００１２】
上記問題を解決するために、本発明はノースバウンドデータ設定及び自己組織化ネットワーク設定の協調処理システムをさらに提供し、ノースバウンド設定モジュール、ＳＯＮ機能モジュール、ＳＯＮ機能管理モジュール、及び衝突解決モジュールを備え、
前記ノースバウンド設定モジュールは、上位ネットワーク管理システムが送信するデータ設定要求を受信し、該データ設定要求を衝突解決モジュールに送信し、及び衝突解決モジュールが送信する衝突を指示する衝突判定メッセージを受信した後、データ設定要求におけるデータ設定を行い、衝突情報を上位ネットワーク管理システムに報告するように設置され、
前記ＳＯＮ機能モジュールは、ＳＯＮ機能管理モジュールにパラメータ最適化要求を送信し、及び前記ＳＯＮ機能管理モジュールの通知に基づいてパラメータバックオフを行い、及び／又は当該自己最適化を終了するように設置され、
前記ＳＯＮ機能管理モジュールは、ＳＯＮ機能モジュールが送信するパラメータ最適化要求を受信し、パラメータ最適化要求を衝突解決モジュールに送信し、及び衝突解決モジュールが送信する衝突を指示する衝突判定メッセージを受信した後、前記ＳＯＮ機能モジュールにパラメータバックオフを行い、及び／又は当該自己最適化プロセスを終了することを通知するように設置され、
前記衝突解決モジュールは、ノースバウンド設定モジュールが送信するデータ設定要求とＳＯＮ機能管理モジュールが送信するパラメータ最適化要求を受信し、ノースバウンド設定モジュールが設定を要求するパラメータとＳＯＮ機能管理モジュールが設定を要求するパラメータとが衝突すると判断すると、それぞれノースバウンド設定モジュールとＳＯＮ機能管理モジュールに衝突を指示する衝突判定メッセージを送信するように設置される。
【００１３】
好ましくは、前記データ設定要求には、設定したパラメータ識別子及び修正値が含まれる。
【００１４】
好ましくは、前記パラメータ最適化要求には、パラメータ設定を指示するＳＯＮ機能モジュールの名称、設定したパラメータ識別子及び修正値が含まれる。
【００１５】
好ましくは、前記衝突解決モジュールは、
ノースバウンド設定モジュールが設定を要求するパラメータとＳＯＮ機能管理モジュールが設定を要求するパラメータとの識別子が同様であるが修正値が異なると判断すると、衝突すると判断することによって、ノースバウンド設定モジュールが設定を要求するパラメータとＳＯＮ機能管理モジュールが設定を要求するパラメータとが衝突すると判断するように設置される。
【００１６】
好ましくは、前記衝突解決モジュールがノースバウンド設定モジュールに送信する衝突判定メッセージには、衝突するパラメータ識別子、衝突をもたらすＳＯＮ機能モジュールの名称、ＳＯＮ機能モジュールの設定した修正値が含まれる。
【００１７】
好ましくは、前記衝突解決モジュールがＳＯＮ機能管理モジュールに送信する衝突判定メッセージには、衝突するパラメータ識別子、ノースバウンド設定モジュールの設定したパラメータ値が含まれる。
【００１８】
好ましくは、ＳＯＮ機能管理モジュールは、
ネットワーク管理システムにより実行される被制御モードの自己最適化プロセス、又はネットワーク管理システムにより実行される自由モードの自己最適化プロセスに対して、或いは、ネットワークエレメントにより実行される被制御モードの自己最適化プロセス、又はネットワークエレメントにより実行される自由モードの自己最適化プロセスに対して、ＳＯＮ機能管理モジュールは衝突解決モジュールが送信する衝突を指示する衝突判定メッセージを受信した後、ＳＯＮ機能モジュールに衝突を指示する通知を送信することによって、衝突解決モジュールが送信する衝突を指示する衝突判定メッセージを受信した後、前記ＳＯＮ機能モジュールにパラメータバックオフを行い、及び／又は当該自己最適化プロセスを終了することを通知するように設置され、
前記ＳＯＮ機能モジュールは、
ネットワーク管理システムにより実行される被制御モードの自己最適化プロセスに対して、ＳＯＮ機能モジュールは前記ＳＯＮ機能管理モジュールが送信する衝突を指示する通知を受信した後、当該自己最適化プロセスを終了すること、或いは
ネットワーク管理システムにより実行される自由モードの自己最適化プロセスに対して、ＳＯＮ機能モジュールは前記ＳＯＮ機能管理モジュールが送信する衝突を指示する通知を受信した後、パラメータのバックオフを行い、パラメータをネットワークエレメントに同期化すること、或いは
ネットワークエレメントにより実行される被制御モードの自己最適化プロセスに対して、ＳＯＮ機能モジュールは前記ＳＯＮ機能管理モジュールが送信する衝突を指示する通知を受信した後、当該自己最適化プロセスを終了し、自己最適化を実行するネットワークエレメントにメッセージを送信して自己最適化プロセスを終了することを通知すること、或いは
ネットワークエレメントにより実行される自由モードの自己最適化プロセスに対して、ＳＯＮ機能モジュールは前記ＳＯＮ機能管理モジュールが送信する衝突を指示する通知を受信した後、当該自己最適化プロセスを終了し、自己最適化を実行するネットワークエレメントにメッセージを送信してパラメータバックオフを行うことを通知することによって、前記ＳＯＮ機能管理モジュールの通知に基づいてパラメータバックオフを行い、及び／又は当該自己最適化を終了するように設置される。
【００１９】
好ましくは、前記衝突解決モジュールはさらに、ノースバウンド設定モジュールが設定を要求するパラメータとＳＯＮ機能管理モジュールが設定を要求するパラメータとが衝突しないと判断すると、ＳＯＮ機能管理モジュールに非衝突を指示する衝突判定メッセージを送信するように設置され、
前記ＳＯＮ機能管理モジュールはさらに、衝突解決モジュールが送信する非衝突を指示する衝突判定メッセージを受信した後、前記ＳＯＮ機能モジュールに非衝突を指示する通知を送信するように設置され、
前記ＳＯＮ機能モジュールはさらに、前記ＳＯＮ機能管理モジュールが送信する非衝突を指示する通知を受信した後、自己最適化プロセスを継続するように設置される。
【図面の簡単な説明】
【００２０】
【図１】図１は本発明の実施例１に係るノースバウンド設定及びＳＯＮ機能設定の協調処理システムの構成模式図である。
【図２】図２は本発明の実施例２のフローチャートである。
【図３】図３は本発明の実施例３のフローチャートである。
【図４】図４は本発明の実施例４のフローチャートである。
【図５】図５は本発明の実施例５のフローチャートである。
【図６】図６は本発明の実施例６のフローチャートである。
【発明を実施するための形態】
【００２１】
手動で設定されたパラメータとＳＯＮ機能により最適化されたパラメータとは同様であるが内容が異なると、パラメータの優先的な有効化形態を考えなければならない。ＳＯＮは持続に最適化する過程であり、且つ大量のデータ（性能データ、ＵＥの測定データ及びいくつかの関連シグナルを含む。）に依存し、アルゴリズムによってパラメータの自己最適化を完成することを考えると、誤差は発生する可能性があるが、手動で設置される場合、一般的には、該パラメータの修正による影響をわかり、一定の目標性を有するので、本願は、ノースバウンド設定とＳＯＮ機能による設定とが衝突する時、ノースバウンド設定データを基準とすることにより、ノースバウンドデータ設定とＳＯＮ設定との衝突を回避すると提案する。衝突するパラメータの名称、ＳＯＮ機能の名称、ＳＯＮ機能により最適化された目標値などの情報をノースバウンドインターフェースによって上位層のネットワーク管理システムに返すことによって、上位層のネットワーク管理システムの管理に寄与する。
【００２２】
以下、図面を参照しながら、本発明の実施例を詳しく説明する。ただし、衝突しない場合、本願における実施例及び実施例における特徴を任意に組み合わせても良い。
【００２３】
実施例１
図１に示すように、衝突解決を達成するシステムは、ノースバウンド設定モジュール、ＳＯＮ機能モジュール、ＳＯＮ機能管理モジュール、及び衝突解決モジュールを備え、
ノースバウンド設定モジュールは、上位ネットワーク管理システムが送信するデータ設定要求を受信し、該データ設定要求を衝突解決モジュールに送信することに用いられ、及び衝突解決モジュールが送信する衝突を指示する衝突判定メッセージを受信した後、データ設定要求におけるデータ設定を行い、衝突情報を上位ネットワーク管理システムに報告することに用いられ、
ＳＯＮ機能管理モジュールは、ＳＯＮ機能モジュールが送信するパラメータ最適化要求を受信し、パラメータ最適化要求を衝突解決モジュールに送信することに用いられ、及び衝突解決モジュールが送信する衝突を指示する衝突判定メッセージを受信した後、前記ＳＯＮ機能モジュールにパラメータバックオフを行い、及び／又は当該自己最適化プロセスを終了することを通知することに用いられ、
ＳＯＮ機能モジュールは、ＳＯＮ機能管理モジュールにパラメータ最適化要求を送信し（例えば、該ＳＯＮ機能モジュールがネットワークエレメントにより報告される故障メッセージを受信し、アルゴリズムによって最適化を必要とするパラメータ及び最適化した値を判断し、ＳＯＮ機能管理モジュールにパラメータ最適化要求を送信する）、及び前記ＳＯＮ機能管理モジュールの通知に基づいてパラメータバックオフを行い、及び／又は当該自己最適化を終了することに用いられ、
衝突解決モジュールは、ノースバウンド設定モジュールが送信するデータ設定要求とＳＯＮ機能管理モジュールが送信するパラメータ最適化要求を受信し、ノースバウンド設定モジュールが設定を要求するパラメータとＳＯＮ機能管理モジュールが設定を要求するパラメータとが衝突すると判断すると、それぞれノースバウンド設定モジュールとＳＯＮ機能管理モジュールに衝突を指示する衝突判定メッセージを送信することに用いられる。
【００２４】
上記データ設定要求には、設定したパラメータ識別子及び修正値が含まれる。パラメータ最適化要求には、パラメータ設定を指示するＳＯＮ機能モジュールの名称、設定したパラメータ識別子及び修正値が含まれる。
【００２５】
好ましくは、上記衝突解決モジュールは、
ノースバウンド設定モジュールが設定を要求するパラメータとＳＯＮ機能管理モジュールが設定を要求するパラメータとの識別子が同様であるが修正値が異なると判断すると、衝突すると判断することによって、ノースバウンド設定モジュールが設定を要求するパラメータとＳＯＮ機能管理モジュールが設定を要求するパラメータとが衝突すると判断することに用いられる。
【００２６】
好ましくは、衝突解決モジュールがノースバウンド設定モジュールに送信する衝突判定メッセージには、衝突するパラメータ識別子、衝突をもたらすＳＯＮ機能モジュールの名称、ＳＯＮ機能モジュールの設定した修正値が含まれる。衝突解決モジュールがＳＯＮ機能管理モジュールに送信する衝突判定メッセージには、衝突するパラメータ識別子、ノースバウンド設定モジュールの設定したパラメータ値が含まれる。
【００２７】
各モジュールの具体的な操作は以下の各実施例を参照する。
【００２８】
実施例２
本実施例は実施例１に係るシステムによるノースバウンドデータ設定及びＳＯＮ設定の協調処理を説明し、図２に示されるように、以下のステップを含む。
【００２９】
ステップ２０１において、ノースバウンド設定モジュールは上位ネットワーク管理システムが送信するデータ設定要求を受信し、該データ設定要求を衝突解決モジュールに送信し、
データ設定要求には、設定したパラメータ識別子及び修正値が含まれる。
【００３０】
ステップ２０２において、ＳＯＮ機能管理モジュールは一つ又は複数のＳＯＮ機能モジュールが送信するパラメータ最適化要求（ＳＯＮ設定要求とも呼ばれてもよい。）を受信し、パラメータ最適化要求を衝突解決モジュールに送信し、
パラメータ最適化要求には、パラメータ設定を指示するＳＯＮ機能モジュールの名称、設定したパラメータ識別子及び修正値が含まれる。
【００３１】
上記ステップ２０１とステップ２０２は前後順に行われるものではない。
【００３２】
ステップ２０３において、衝突解決モジュールはノースバウンド設定モジュールが送信するデータ設定要求とＳＯＮ機能管理モジュールが送信するパラメータ最適化要求を受信し、ノースバウンド設定モジュールが設定を要求するパラメータとＳＯＮ機能管理モジュールが設定を要求するパラメータとが衝突すると判断すると、それぞれノースバウンド設定モジュールとＳＯＮ機能管理モジュールに衝突を指示する衝突判定メッセージを送信し、
衝突解決モジュールはノースバウンド設定モジュールが設定を要求するパラメータとＳＯＮ機能管理モジュールが設定を要求するパラメータとの識別子が同様であるが修正値が異なると判断すると、衝突すると判断する。該衝突解決モジュールがノースバウンド設定モジュールに送信する衝突判定メッセージには、衝突するパラメータ識別子、衝突をもたらすＳＯＮ機能モジュールの名称、ＳＯＮ機能モジュールの設定した修正値が含まれる。該衝突解決モジュールがＳＯＮ機能管理モジュールに送信する衝突判定メッセージには、衝突するパラメータ識別子、ノースバウンド設定モジュールの設定したパラメータ値（すなわち、データ設定要求に含まれる修正値）が含まれる。
【００３３】
具体的には、衝突判定メッセージに衝突マークが載せられることによって、衝突することを示すことができる。
【００３４】
衝突解決モジュールは一定の期間内にノースバウンド設定モジュール又はＳＯＮ機能管理モジュールが送信する要求だけを受信すると、或いはノースバウンド設定モジュールが送信するデータ設定要求もＳＯＮ機能管理モジュールが送信するパラメータ最適化要求も受信するが、ノースバウンド設定モジュールが設定を要求するパラメータとＳＯＮ機能管理モジュールが設定を要求するパラメータとの識別子が異なる、又はパラメータ識別子も修正値も同様であると、衝突しないと判断する。この時、衝突解決モジュールがＳＯＮ機能管理モジュールに応答、すなわち、非衝突を指示する衝突判定メッセージを返し、該メッセージの内容はパラメータ識別子を含んでもよい。好ましくは、衝突解決モジュールはノースバウンド設定モジュールに応答（すなわち、非衝突を指示する衝突判定メッセージ）を返すことができる。
【００３５】
ステップ２０４において、ノースバウンド設定モジュールは衝突解決モジュールが送信する衝突を指示する衝突判定メッセージを受信した後、データ設定要求におけるデータ設定を行い、衝突情報を上位ネットワーク管理システムに報告し、
該衝突情報、すなわち衝突判定メッセージに載せられる情報は、衝突するパラメータ識別子、衝突をもたらすＳＯＮ機能モジュールの名称、及びＳＯＮ機能モジュールの設定した修正値が含まれる。
【００３６】
ノースバウンド設定モジュールは衝突解決モジュールが送信する非衝突を指示する衝突判定メッセージを受信すると、データ設定要求におけるデータ設定を行った後、上位ネットワーク管理システムにデータ設定結果を返す。
【００３７】
ステップ２０５において、ＳＯＮ機能管理モジュールは衝突解決モジュールが送信する衝突を指示する衝突判定メッセージを受信した後、該ＳＯＮ機能モジュールにパラメータバックオフを行い、及び／又は当該自己最適化プロセスを終了することを通知する。
【００３８】
ＳＯＮ機能管理モジュールは衝突解決モジュールの送信する非衝突を指示する衝突判定メッセージを受信した後、前記ＳＯＮ機能モジュールに自己最適化プロセスを継続することを通知する。
【００３９】
具体的には、ＳＯＮ機能管理モジュール及びＳＯＮ機能モジュールに対して、その自己最適化はネットワーク管理システムにより実行されてもよく、ネットワークエレメントにより実行されてもよく、具体的には、さらに被制御モード及び自由モードに分けられる。
【００４０】
ネットワーク管理システムにより実行される自己最適化に対して、被制御モードの場合、ＳＯＮ機能管理モジュールは衝突解決モジュールが送信する衝突を指示する衝突判断メッセージを受信した後、衝突を指示する通知メッセージをＳＯＮ機能モジュールに送信し、ＳＯＮ機能モジュールが当該自己最適化プロセスを終了し、ＳＯＮ機能管理モジュールはＳＯＮ機能インターフェースに結果を表示することによって、当該最適化とノースバウンド設定モジュールのパラメータ設定とが衝突することを提示し、自由モードの場合、ＳＯＮ機能管理モジュールは衝突解決モジュールが送信する衝突を指示する衝突判定メッセージを受信した後、衝突を指示する通知をＳＯＮ機能モジュールに送信し、ＳＯＮ        機能モジュールがパラメータのバックオフを行い、バックオフを完成した後、パラメータをネットワークエレメントに同期化し、ＳＯＮ機能管理モジュールは衝突及びバックオフ結果をＳＯＮ機能インターフェースに表示することによって、当該自己最適化とノースバウンド設定モジュールのパラメータ設定とが衝突し、且つパラメータのバックオフが成功したことを提示し、ＳＯＮ機能管理モジュールは衝突解決モジュールが送信する非衝突を指示する衝突判定メッセージを受信すると、非衝突を指示する通知メッセージをＳＯＮ機能モジュールに送信し、ＳＯＮ機能モジュールが自己最適化プロセスを継続し、自己最適化が終了した後、自己最適化過程におけるパラメータ変更を上位ネットワーク管理システムに報告する。
【００４１】
ネットワークエレメントにより実行される自己最適化に対して、被制御モードの場合、ＳＯＮ機能管理モジュールは衝突解決モジュールが送信する衝突を指示する衝突判定メッセージを受信した後、衝突を指示する通知をＳＯＮ機能モジュールに送信し、ＳＯＮ機能モジュールが当該自己最適化プロセスを終了し、ＳＯＮ機能管理モジュールはＳＯＮ機能インターフェースに結果を表示することによって、当該最適化とノースバウンド設定モジュールのパラメータ設定とが衝突することを提示し、ＳＯＮ機能モジュールはプロセスを終了した後、自己最適化を実行するネットワークエレメントにメッセージを送信して自己最適化プロセスを終了することを通知し、自由モードの場合、ＳＯＮ機能管理モジュールは衝突解決モジュールが送信する衝突を指示する衝突判定メッセージを受信した後、衝突を指示する通知をＳＯＮ機能モジュールに送信し、ＳＯＮ機能モジュールが当該自己最適化プロセスを終了し、ＳＯＮ機能管理モジュールはＳＯＮ機能インターフェースに結果を表示することによって、当該最適化とノースバウンド設定モジュールのパラメータ設定とが衝突することを提示し、ＳＯＮ機能モジュールは最適化プロセスを終了した後、自己最適化を実行するネットワークエレメントにメッセージを送信してパラメータバックオフを行うことを通知する。ＳＯＮ機能管理モジュールは衝突解決モジュールが送信する非衝突を指示する衝突判定メッセージを受信すると、非衝突を指示する通知をＳＯＮ機能モジュールに送信し、ＳＯＮ機能モジュールは自己最適化プロセスを継続し、且つメッセージをネットワークエレメントに送信して自己最適化プロセスを継続し、自己最適化が終了した後、自己最適化過程におけるパラメータ変更を上位ネットワーク管理システムに報告する。
【００４２】
上記ステップ２０４とステップ２０５は前後順に行われるものではない。
【００４３】
実施例３
本実施例はネットワーク管理システムにより実行される被制御モードの自己最適化（すなわち、パラメータ修正）プロセスを説明し、図３に示されるように、以下のステップを含む。
【００４４】
ステップ３０１において、ノースバウンド設定モジュールは上位層のネットワーク管理システムが送信するデータ設定要求を受信した後、該メッセージを衝突解決モジュールに送信し、該データ設定要求メッセージには、パラメータ識別子（例えば、パラメータ名称）、修正値が含まれ、ＳＯＮ機能管理モジュールは各々の具体的なＳＯＮ機能モジュールが送信するパラメータ最適化要求を受信した後にも該メッセージを衝突解決モジュールに送信し、該パラメータ最適化要求メッセージには、パラメータ識別子（例えば、パラメータ名称）、修正値、及び当該パラメータ修正を指示するＳＯＮ機能モジュールの名称が含まれ、
ステップ３０２において、衝突解決モジュールはメッセージを受信した後、パラメータ設定衝突が発生するか否かを判断し、ノースバウンド設定モジュールが送信するデータ設定要求メッセージ又はＳＯＮ機能管理モジュールが送信するパラメータ最適化要求メッセージだけを受信すると、衝突しないと判断し、２種類のメッセージを受信すると、同様なパラメータが存在するか否かを比較し、同様なパラメータが存在し、且つ修正値が異なると、衝突すると判断し、それぞれノースバウンド設定モジュールとＳＯＮ機能管理モジュールに衝突を指示する衝突判定メッセージを送信し、
好ましくは、衝突解決モジュールは処理が終了する毎に、受信したメッセージを削除する。
【００４５】
好ましくは、衝突解決モジュールは衝突しないと判断すると、それぞれノースバウンド設定モジュールとＳＯＮ機能管理モジュールに非衝突を指示する衝突判定メッセージを送信してもよい。
【００４６】
ステップ３０３において、ノースバウンド設定モジュールは衝突解決モジュールが送信する衝突判定メッセージを受信した後、データ設定要求に設定されたパラメータ値に基づいてパラメータ修正を行い、衝突判定メッセージが衝突を指示するか否かを判断し、衝突すると、衝突をもたらすＳＯＮ機能モジュールの名称、ＳＯＮ機能モジュールの設定した修正値及びパラメータ識別子を上位層のネットワーク管理システムに返してユーザーに提示し、衝突しないと、返した結果に上記内容が載せられる必要がなく、
衝突解決モジュールは衝突しないとノースバウンド設定モジュールに応答を返さなくてもよいので、ノースバウンド設定モジュールに受信タイマを設置してもよく、例えば、衝突解決モジュールがメッセージを送信する時から計時し、所定の時間内に衝突解決モジュールの応答を受信しない、衝突しないと判断し、上位ネットワーク管理システムにデータ設定結果を返す。
【００４７】
ステップ３０４において、ＳＯＮ機能管理モジュールは衝突解決モジュールが送信する衝突判定メッセージを受信した後、衝突判定メッセージが衝突を指示するか否かを判断し、衝突すると、衝突を指示する通知メッセージをＳＯＮ機能モジュールに送信し、ＳＯＮ機能モジュールが当該自己最適化プロセスを終了し、ＳＯＮ機能管理モジュールは結果をＳＯＮ機能インターフェースに表示することによって、ユーザーに該パラメータ修正とノースバウンド設定によるパラメータ修正とが衝突することを提示し、衝突しないと、非衝突を指示する通知メッセージをＳＯＮ機能モジュールに送信し、ＳＯＮ機能モジュールが最適化プロセスを継続し、最適化が終了した後、結果をＳＯＮ機能管理モジュールに返し、ＳＯＮ機能管理モジュールは最適化結果を表示し、且つパラメータ変更を上位ネットワーク管理システムに報告する。
【００４８】
上記ステップ３０３と３０４は実行順番が限定されるものではなく、同時に実行されてもよい。
【００４９】
実施例４
本実施例はネットワーク管理システムにより実行される自由モードの自己最適化プロセスを説明し、図４に示されるように、以下のプロセスを含む。
【００５０】
ステップ４０１―４０３において、実施例３のステップ３０１―３０３と同様に行われ、
ステップ４０４において、ＳＯＮ機能管理モジュールは衝突解決モジュールが送信する衝突判定メッセージを受信した後、衝突するか否かを判断し、衝突すると、衝突を指示する通知メッセージをＳＯＮ機能モジュールに送信し、ＳＯＮ機能モジュールはパラメータバックオフを行い、ＳＯＮ機能モジュールはバックオフが成功した後、パラメータをネットワークエレメントに同期化し、且つバックオフ成功結果をＳＯＮ機能管理モジュールに返し、ＳＯＮ機能管理モジュールは衝突及びバックオフ結果をＳＯＮ機能インターフェースに表示することによって、ユーザーに該パラメータ修正とノースバウンド設定によるパラメータ修正とが衝突し、且つパラメータのバックオフが成功したことを提示し、衝突しないと、非衝突を指示する通知メッセージをＳＯＮ機能モジュールに送信し、ＳＯＮ機能モジュールは自己最適化を継続し、ＳＯＮ機能モジュールは自己最適化を完成した後、ＳＯＮ機能管理モジュールに最適化結果を返し、ＳＯＮ機能管理モジュールはＳＯＮ機能モジュールが返す最適化結果を受信した後、結果をＳＯＮ機能インターフェースに表示し、且つそれによるパラメータ変更を上位ネットワーク管理システムに報告する。
【００５１】
実施例５
本実施例はネットワークエレメントにより実行される被制御モードの自己最適化プロセスを説明し、図５に示されるように、以下のステップを含む。
【００５２】
ステップ５０１―５０３において、実施例３のステップ３０１―３０３と同様に行われ、
ステップ５０４において、ＳＯＮ機能管理モジュールは衝突解決モジュールが送信する衝突判定メッセージを受信した後、衝突するか否かを判断し、衝突すると、衝突を指示する通知をＳＯＮ機能モジュールに送信し、ＳＯＮ機能モジュールが当該自己最適化プロセスを終了し、ＳＯＮ機能管理モジュールは結果をＳＯＮ機能インターフェースに表示することによって、ユーザーに該パラメータ修正とノースバウンド設定によるパラメータ修正とが衝突することを提示し、ＳＯＮ機能モジュールは自己最適化プロセスを終了した後、メッセージを自己最適化を実行するネットワークエレメントに送信して自己最適化プロセスを終了することを通知し、衝突しないと、非衝突を指示する通知メッセージをＳＯＮ機能モジュールに送信し、ＳＯＮ機能モジュールは自己最適化プロセスを継続し、且つネットワークエレメントに最適化プロセスを継続することを通知し、ネットワークエレメントはパラメータ修正が成功した後、ネットワーク管理システム（すなわち、実施例１に係るシステムを備えるネットワーク管理システム）に通知し、ネットワーク管理システムは相応の設定パラメータ更新を完成し、且つ結果を上位ネットワーク管理システムに報告する。
【００５３】
実施例６
本実施例はネットワークエレメントにより実行される自由モードの自己最適化プロセスを説明し、図６に示されるように、以下のステップを含む。
【００５４】
ステップ６０１―６０３において、実施例３のステップ３０１―３０３と同様に行われ、
ステップ６０４において、ＳＯＮ管理モジュールは衝突解決モジュールが送信する衝突判定メッセージを受信した後、衝突するか否かを判断し、衝突すると、衝突を指示する通知メッセージをＳＯＮ機能モジュールに送信し、ＳＯＮ機能モジュールが当該自己最適化プロセスを終了し、その後、ＳＯＮ機能モジュールはネットワークエレメントにメッセージを送信し、ネットワークエレメントにパラメータバックオフを行うことを通知し、ネットワークエレメントはバックオフが成功した後、メッセージをネットワーク管理システムに返し、ネットワーク管理システムは結果をインターフェースに表示して設定と衝突することを提示し、当該自己最適化プロセスが終了し、衝突しないと、非衝突を指示する通知メッセージをＳＯＮ機能モジュールに送信し、ＳＯＮ機能モジュールは自己最適化プロセスを継続し、同期のパラメータ更新を行い、更新が終了した後、更新結果をＳＯＮ機能管理モジュールに返し、ＳＯＮ機能管理モジュールはパラメータ更新結果をＳＯＮ機能インターフェースに表示し、且つ上位ネットワーク管理システムに報告する。
【００５５】
当業者は上記方法のステップのすべて又は一部がプログラムで関連のハードウェアに対して命令を出して完成されることができ、上記プログラムはコンピューターの可読記憶媒体、例えば読み出し専用メモリ、磁気ディスク又は光ディスクなどに記憶できると理解可能である。また、上記実施例のステップのすべて又は一部は１つ又は複数の集積回路を用いて実現されてもよい。それに対して、上記実施例における各モジュール／ユニットはハードウェアの形態によって実現されてもよく、ソフトウェア機能モジュールの形態によって実現されてもよい。本発明はなんらかの特定の形態のハードウェア及びソフトウェアの組合せに限定されない。
【００５６】
勿論、本発明は上記以外のさまざまな実施例を有してもよく、本発明の精神及び趣旨を逸脱せずに、当業者は本発明に基づいてさまざまな相応の変更及び変形を行うことができるが、それらの相応の変更及び変形はいずれも本発明に附する請求項の保護範囲に属すべきである。
【産業上の利用可能性】
【００５７】
本発明の実施例に係る方法及びシステムはノースバウンドデータ設定とＳＯＮ設定との衝突に解決手段を提供し、ノースバウンド設定とＳＯＮ機能による設定とが衝突する時、ノースバウンド設定データを基準とするとともに、衝突するパラメータの名称、ＳＯＮ機能の名称、ＳＯＮ機能により最適化された目標値などの情報をノースバウンドインターフェースによって上位層のネットワーク管理システムに返す。
【図１】
0005770386.tif 000002
【図２】
0005770386.tif 000003
【図３】
0005770386.tif 000004
【図４】
0005770386.tif 000005
【図５】
0005770386.tif 000006
【図６】
0005770386.tif 000007